(57)【要約】      （修正有）【課題】和服を家庭用の洗濯機で洗濯する際に、和服全体をきれいに洗濯するための洗濯補助具及び洗濯方法を提供する。【解決手段】布地を洗濯する際に用いる洗濯補助具１であり、布地４を折り畳んだ際に重なり合う前記布地４の第１面４１と第２面４２とが密着することを防止する密着防止手段と、前記布地を再度折り畳んだ際に向かい合う前記布地の第３面と第４面との間に空間部を生じさせると共に、前記第３面４３と前記第４面４４とが互いに向かい合う状態を保持する保持手段３４とを備える洗濯補助具１及びそれを用いた洗濯方法である。【選択図】図１
2015119754.tif 000002
【特許請求の範囲】
【請求項１】
布地を洗濯する際に用いる洗濯補助具であり、
布地を折り畳んだ際に重なり合う前記布地の第１面と第２面とが密着することを防止する密着防止手段と、
前記布地を再度折り畳んだ際に向かい合う前記布地の第３面と第４面との間に空間部を生じさせると共に、前記第３面と前記第４面とが互いに向かい合う状態を保持する保持手段と、
を備えることを特徴とする洗濯補助具。
【請求項２】
前記密着防止手段は、
前記布地を挿入することが可能な挿入空間を有する筒状部材であることを特徴とする請求項１記載の洗濯補助具。
【請求項３】
前記筒状部材は、立体的なメッシュ素材により構成されることを特徴とする請求項２記載の洗濯補助具。
【請求項４】
前記第１面は、前記布地の中心面であり、
前記第２面は、前記密着防止手段の外側にはみ出た前記布地の両端の面により構成されることを特徴とする請求項１記載の洗濯補助具。
【請求項５】
前記密着防止手段は、
前記第１面と前記第２面との接触を防止する接触防止部と、
水又は洗剤の流入を可能にするための流入部と、
を備えることを特徴とする請求項１記載の洗濯補助具。
【請求項６】
前記接触防止部は、前記流入部において前記第１面と前記第２面とが接触することを防止する部材であることを特徴とする請求項５記載の洗濯補助具。
【請求項７】
前記保持手段は、前記布地全体を覆うメッシュ袋に備えられていることを特徴とする請求項１記載の洗濯補助具。
【請求項８】
布地を洗濯する方法であり、
布地を折り畳んだ際に重なり合う前記布地の第１面と第２面との間に密着防止手段を挟むことにより前記第１面と前記第２面とが密着することを防止し、
保持手段により、前記布地を再度折り畳んだ際に向かい合う前記布地の第３面と第４面との間に空間部を生じさせると共に、前記第３面と前記第４面とが互いに向かい合う状態を保持することを特徴とする洗濯方法。
【発明の詳細な説明】
【技術分野】
【０００１】
本発明は、布地（特に、和服）を家庭用の洗濯機で洗濯する際に、和服の洗い残しを防止して、和服全体をきれいに洗濯するための洗濯補助具及び洗濯方法に関するものである。
【背景技術】
【０００２】
衣類などの布製品は、家庭用洗濯機で洗濯すると、型くずれや縮みが生じる場合がある。よって、これまでに型くずれや縮みを防止する洗濯補助具が多数提供されている（例えば、特許文献１）。
【先行技術文献】
【特許文献】
【０００３】
【特許文献１】特開２００１−３１００９８号
【発明の概要】
【発明が解決しようとする課題】
【０００４】
特許文献１は、洗濯ネットに関するものであり、この洗濯ネットにセーターなどの衣類を入れて洗濯すれば、衣類の型くずれや伸縮を防止できる。よって、和服もこれら洗濯ネットを使用して洗濯すれば型くずれや伸縮を防止できる。
しかし、これまでの洗濯ネットは何れも洋服を洗濯するために開発されたものであり、和服を洗濯するために開発されたものではない。
和服は、繊細に織り込まれた生地を使用し、生地の分量も多く、更には生地が分厚いという特徴がある。よって、従来の洗濯ネットを使用すると、和服の生地全体に水や洗剤が充分に行き渡らず、洗い残しが生じて汚れが残ってしまう場合があった。特に、和服を折り畳んだ際に、生地同士が重なり合って密着してしまうと、このような洗い残しが顕著となる。
【０００５】
本発明は、このような課題を解決するためものであり、和服を家庭用の洗濯機で洗濯する際に、和服の洗い残しを防止して、和服全体をきれいに洗濯するための洗濯補助具及び洗濯方法を提供するものである。
【課題を解決するための手段】
【０００６】
上記問題を解決するため、布地を洗濯する際に用いる洗濯補助具であり、布地を折り畳んだ際に重なり合う前記布地の第１面と第２面とが密着することを防止する密着防止手段と、前記布地を再度折り畳んだ際に向かい合う前記布地の第３面と第４面との間に空間部を生じさせると共に、前記第３面と前記第４面とが互いに向かい合う状態を保持する保持手段とを備える洗濯補助具が提供される。
【０００７】
更に、上記問題を解決するため、布地を洗濯する方法であり、布地を折り畳んだ際に重なり合う前記布地の第１面と第２面との間に密着防止手段を挟むことにより前記第１面と前記第２面とが密着することを防止し、保持手段により、前記布地を再度折り畳んだ際に向かい合う前記布地の第３面と第４面との間に空間部を生じさせると共に、前記第３面と前記第４面とが互いに向かい合う状態を保持する洗濯方法が提供される。
【発明の効果】
【０００８】
本発明の洗濯補助具及び洗濯方法は、布地を折り畳んだ際に重なり合う第１面と第２面との間に密着防止手段を挟み、且つ、その布地を再度折り畳んだ際に向かい合う第３面と第４面との間に空間部を生じさせる。よって、第１面と第２面とが密着することがなく、更には第３面と第４面も密着することがない。従って、水や洗剤を布地全体にの間に行き渡らせることができ、布地全体をきれいに洗濯することができ、洗い残しを防止できる。即ち、繊細に織り込まれた生地を使用し、且つ、生地の分量も多い和服であっても和服全体をきれいに洗濯することができ、和服の洗い残しを防止できる。
また、係止紐により第３面と第４面とを折り畳んだ状態に保持するので、布地を小さくすることができる。よって、ひとつの洗濯物が洗濯機の中を独占することがなく、他の洗濯物と一緒に効率よく洗濯機で洗濯することができる。
【図面の簡単な説明】
【０００９】
【図１】洗濯補助具全体を表す斜視図である。
【図２】筒状部材を表した斜視図である。
【図３】カバーネット３の斜視図である。
【図４】筒状部材に和服を収納する方法について説明した図である。
【図５】和服をカバーネットに収納する方法について説明した図である。
【図６】カバーネットを小さく折り畳む方法について説明した図である。
【図７】和服を畳んだ状態を表す図である。
【発明を実施するための形態】
【００１０】
本発明に係る洗濯補助具の実施形態を説明する。図１は、本実施形態に係る洗濯補助具１全体を表す斜視図である。この洗濯補助具１は、密着防止手段としての筒状部材２とカバーネット３とからなる。
【００１１】
図２（ａ）は、筒状部材２を表した斜視図である。筒状部材２は、立体メッシュ状の素材を筒状に形成したものである。これは、例えば、長方形の立体メッシュ生地の短い辺同士を縫合したものであり、筒の内部空間（挿入空間）には所定の大きさに折り畳まれた和服４（被洗濯衣類）が収納されるものである。このように筒状の部材に布地を収納するので、布地をしっかりと保持することができる。即ち、筒状の部材なので、和服のように重たいものでも、しっかりと保持することができるのである。なお、和服４の収納方法の詳細については後述する。
【００１２】
図２（ｂ）は、筒状部材２を構成する立体メッシュ素材の断面拡大図である。立体メッシュ素材の上面２２及び下面２３には、流入部としての孔２４が多数設けられている。上面２２と下面２３とは、接触防止部としての連結材２５により連結されている。連結材２５は、やや硬質の糸状部材であり、この糸状部材により上面２２と下面２３とを交互に縫い合わせることにより上面２２と下面２３とを連結している。なお、上面２２と下面２３とは所定の間隔を空けて厚みが出るよう連結されており、連結材２５の間には隙間２６が形成されている。
この隙間２６と孔２４が存在することにより、立体メッシュ素材は水や洗剤の進入を阻害することなく、水や洗剤を通すことができる。また、上面２２から下面２３にかけて所定の厚みを有するので、孔２４の部分においても重なり合う布地同士を密着させることを（接触させること）を防止できる。
【００１３】
図３は、カバーネット３の斜視図である。カバーネット３は、カバー上面部３１と、カバー下面部３２と、ファスナー３３と、保持手段としての係止紐３４とを備える。カバーネット３は、メッシュ素材で構成される洗濯用のネットである。
【００１４】
係止紐３４は、カバーネット３に収納された洗濯物を更に小さくするためのものであり、カバー下面部３２の右側辺と、それに相対する左側辺とに設けられている。
【００１５】
図４は、筒状部材２に和服４を収納する方法について説明した図である。図４（ａ）は、筒状部材２の内部空間に、所定の大きさに折り畳んだ和服４を挿入した図である。ここで、折り畳んだ和服４は、ほぼ半分の面が筒状部材２に挿入されおり、ここでは挿入された面を面４１（第１面）とする。また、和服４は、ほぼ半分の面が筒状部材２の外側に出ており、ここでは外側の面を面４２（第２面）とする。次に、図４（ｂ）のように、面４１と面４２とを重ね合わせるように和服４を折り畳む。これにより、図４（ｂ）のＡ−Ａ断面図は図４（ｃ）のような構成となる。
【００１６】
図５（ａ）は、図４（ｂ）の状態の和服４を、カバーネット３に収納する方法について説明した図である。図４（ｂ）の状態の和服４をカバーネット３の内部に置き、カバー上面３１とカバー下面部３２とで挟むように包み、カバー上面３１及びカバー下面部３２の外周辺とを重ね合わせ、ファスナー３３をカバー上面３１及びカバー下面部３２の外周辺に沿って留める。これにより図５（ｂ）の状態となり、和服４が洗濯機の中でカバーネット３の外側に飛び出さなくなる。
なお、図５（ｂ）の和服４の面のうち、左半分の面（係止紐３４ａ側の半面）を面４３（第３面）とし、右半分の面（係止紐３４ｂ側の半面）を面４４（第４面）とする。
また、本実施形態では筒状部材２とカバーネット３とを別々の部材として説明しているが、筒状部材２とカバーネット３とは一体的に形成してもよい。
【００１７】
図６は、図５（ｂ）の状態の和服４及びカバーネット３を更に小さく折り畳む方法について説明した図である。図５（ｂ）の状態のカバーネット３の係止紐３４ａと係止紐３４ｃとを図６のように結ぶ。これにより和服４は折り畳んだ状態（第３面と第４面とが互いに向かい合う状態）で保持されることになり、洗濯物を更に小さくすることができる。なお、この際、面４３と面４４との間に空間４５が生じる。この空間４５が生じることにより、この空間４５に水や洗剤が入り込み、結果として和服４の全体に水又は洗剤が行き渡り、和服４の洗い残しが防止される。
【００１８】
なお、上記実施形態においては、和服４を図４（ｃ）のように畳むことを例に説明したが、これを図７のように畳むようにしてもよい。この場合、面４１（第１面）は和服４の中心面であり、面４２（第２面）は筒状部材２の外側にはみ出た両端面（２つの面）により構成されることになる。このように筒状部材２を両端から挟むように和服４を折り畳み、それをカバーネット３で包むので、カバーネット３内で和服４がしっかりと保持される。
【００１９】
また、上記実施形態において、特定の形状や素材を例に説明したが、本発明に係る洗濯補助具１は、これらの形状や素材に限るものではない。同様の役割を果たすことができれば他の形状や素材であっても構わない。また、この洗濯補助具１は和服以外の洗濯物にも使用できるものである。
【符号の説明】
【００２０】
１  洗濯補助具
２  筒状部材
３  カバーネット
４  和服
３３  ファスナー
３４  係止紐
【図１】
2015119754.tif 000003
【図２】
2015119754.tif 000004
【図３】
2015119754.tif 000005
【図４】
2015119754.tif 000006
【図５】
2015119754.tif 000007
【図６】
2015119754.tif 000008
【図７】
2015119754.tif 000009